(57)【要約】【課題】  アドレス信号とクロック信号との間に同期ずれが発生した場合において、ターゲットアドレス以外のアドレス位置への書き込み等の記録の誤りを回避して、正しい記録を行うことのできる光ディスク記録装置を提供する。【解決手段】  光ディスクからの再生信号をバンドパスフィルタ９に通すことによって、ウォブリング信号が検出される。さらに、同期ずれ検出用信号生成回路１１にて同期ずれ検出用信号が生成され、クロック生成回路１３およびＰＬＬ回路１４により記録クロックが生成される。このデータ同期用検出信号が、記録チャネルクロックを基に生成される周期的な検出ウィンドウの外に検出される回数または検出ウィンドウ内に検出されない回数が予め定められた閾値以上になったときに、記録の開始を一旦取り止め、再度記録開始動作をし直すことで、より確実な状態から記録を開始することができる。【選択図】図１
2005190507.tif 000002
【特許請求の範囲】
【請求項１】
ウォブリングしたデータ記録用トラックが形成され、アドレス情報を具現するアドレス情報源がプリフォーマットされている光ディスクに光ビームを照射して、前記アドレス情報源からアドレス信号を得る手段と、前記ウォブリングしたデータ記録用トラックから得られる信号を用いてクロック信号を生成する手段と、を有する光ディスク記録装置であって、前記アドレス信号と前記クロック信号との同期ずれを検出するための同期ずれ検出用信号を生成する手段をさらに有し、該同期ずれ検出用信号を用いて、前記光ディスクへの記録開始の適当／不適当を判断することを特徴とする光ディスク記録装置。
【請求項２】
前記同期ずれ検出用信号が前記アドレス信号に基づいて生成され、前記光ディスク上の任意の目標位置からデータの記録を開始する際に、予め定められたデータ記録開始準備期間に、前記同期ずれ検出用信号と前記クロック信号との同期ずれが予め定められた範囲外となる同期ずれ状態の発生回数が、予め定められた閾値以上の回数に達したときに、前記光ビームが前記目標位置に到達しても、前記記録の開始を一旦取りやめることを特徴とする請求項１に記載の光ディスク記録装置。
【請求項３】
前記クロック信号が、前記ウォブリングしたデータ記録用トラックから得られる信号に基づいて生成されたウォブルクロック信号、または、該ウォブルクロック信号を用いて生成された記録チャネルクロック信号であることを特徴とする請求項１または２に記載の光ディスク記録装置。
【請求項４】
前記同期ずれ状態は、前記同期ずれ検出用信号と、前記クロック信号でカウントするカウンタからの周期的な出力とが出力される時間差が、予め定められた範囲外にある状態であることを特徴とする請求項２または３に記載の光ディスク記録装置。
【請求項５】
前記同期ずれ状態は、前記同期ずれ検出用信号が、前記クロックにより規定されたタイミングの前後に予め定められた時間幅を有するウィンドウ内に検出されない状態であることを特徴とする請求項２または３に記載の光ディスク記録装置。
【請求項６】
前記同期ずれ状態は、前記同期ずれ検出用信号が、前記クロックにより規定されたタイミングの前後に予め定められた時間幅を有するウィンドウ外に検出される状態であることを特徴とする請求項２または３に記載の光ディスク記録装置。
【請求項７】
ウォブリングしたデータ記録用トラックが形成され、アドレス情報を具現するアドレス情報源がプリフォーマットされている光ディスクに光ビームを照射して、前記アドレス情報源からアドレス信号を得る手段と、前記アドレス信号から前記アドレス情報を復調する手段と、前記ウォブリングしたデータ記録用トラックから得られる信号を用いてクロック信号を生成する手段と、を有する光ディスク記録装置であって、前記アドレス情報を用いて、前記光ディスクへの記録開始の適当／不適当を判断することを特徴とする光ディスク記録装置。
【請求項８】
前記光ディスク上の任意の目標位置からデータの記録を開始する際に、予め定められたデータ記録開始準備期間に、前記復調されたアドレス情報の異常状態の発生回数が、予め定められた閾値以上の回数に達したときに、前記光ビームが前記目標位置に到達しても、前記記録の開始を一旦取りやめることを特徴とする請求項７に記載の光ディスク記録装置。
【請求項９】
前記アドレス情報の異常状態は、前記復調されたアドレス情報内のパリティがエラーであることを特徴とする請求項８に記載の光ディスク記録装置。
【請求項１０】
前記アドレス情報の異常状態は、前記復調されたアドレス情報内のアドレスとそのアドレスの期待値との不一致状態であることを特徴とする請求項８に記載の光ディスク記録装置。
【請求項１１】
前記アドレス情報源が、前記ウォブリングしたデータ記録用トラックの一部を前記アドレス情報で変調することによって形成されていることを特徴とする請求項１から１０のいずれかに記載の光ディスク記録装置。
【請求項１２】
前記アドレス情報源が、前記光ディスクに形成されたピットとしてプリフォーマットされていることを特徴とする請求項１から１０のいずれかに記載の光ディスク記録装置。
【請求項１３】
前記光ディスク上の任意の目標位置からデータの記録を開始する際に、前記目標位置に隣接して、または、間隔を置いて、前記記録の開始を実行すべきか否かの判断を行なう記録開始判断領域を設けることを特徴とする請求項２〜６、８〜１２のいずれかに記載の光ディスク記録装置。
【請求項１４】
前記記録の開始を一旦取りやめた後、前記記録の開始の適当／不適当の判断を再度行うことを特徴とする請求項２〜６、８〜１３のいずれかに記載の光ディスク記録装置。
【請求項１５】
前記記録の開始の適当／不適当の判断を再度行う際に、前記同期ずれ検出用信号と前記クロック信号との同期ずれの予め定められた範囲、或いは、予め定められた閾値回数を緩和すること、或いは、前記復調されたアドレス情報の異常状態の発生回数の予め定められた閾値回数を緩和することを特徴とする請求項１４に記載の光ディスク記録装置。
【請求項１６】
前記記録の開始の適当／不適当の判断を再度行う際に、前記記録開始判断領域を変更することを特徴とする請求項１４または１５に記載の光ディスク記録装置。
【発明の詳細な説明】
【技術分野】
【０００１】
本発明は、光ディスクに信号を記録するための光ディスク記録装置に関する。
【背景技術】
【０００２】
近年、書き込み型の光ディスクでは、案内溝(グルーブ)あるいは案内溝間(ランド)に蛇行 (ウォブリング)を持たせ、光ディスクへの書き込みクロックをそれらのウォブリングに同期させ、且つ、それらのウォブリングにアドレスなどの情報データを埋め込む機能を持たせている。
【０００３】
図９は、種々の光ディスクから得られるウォブリング信号の波形を示している。横軸は時間、縦軸は信号の振幅であるが、振幅の変化は、そのまま、グルーブあるいはランドの形状を表わしている。例えば、図９（ａ）は、基本となる一定周期の周波数を持つウォブリング信号であり、一定数のチャネルビットを単位として蛇行するグルーブあるいはランが形成された光ディスクから得られる。図９（ｂ）、（ｃ）、（ｄ）に示すウォブリング信号は、それぞれ、図９（ａ）のウォブリング信号が周波数変調された部分が存在するもの、１８０度位相のずれた部分が存在するもの、一定数の周期毎にパルス状の信号が重畳した部分が存在するものである。図９（ｃ）は、ＤＶＤ＋Ｒ、ＤＶＤ＋ＲＷディスクから得られるウォブリング信号であり、１８０度位相のずれた部分の存在する領域にアドレス情報が埋め込まれている。図９（ｄ）は、ＤＶＤ−Ｒ、ＤＶＤ−ＲＷディスクから得られるウォブリング信号であり、パルス状の信号は、ランド部に形成されたプリピット（ランドプリピット）から得られるものである。このランドプリピットにアドレス情報が埋め込まれている。
【０００４】
光ディスクへの記録時には、これらのアドレス情報の埋め込まれたウォブリングを利用して情報データの書き込みが行われるが、書き込み中に安定にウォブリング信号と情報データ信号が検出されれば、光ディスクへの安定な記録が行われる。しかしながら、何らかの要因で安定にそれらの信号が得られない場合には、当然、安定な記録ができなくなる、あるいは、再生時に安定な再生ができなくなる。例えば、ウォブリング信号が、記録中に光ディスクのウォブリングと同期しない状態で検出された場合には、ウォブリング信号から得られる書き込みクロックも、当然に、ウォブリングと同期しない状態で生成されてしまう。そのような状況で記録された記録データは、再生時に再生できなくなる。また、光ディスクに欠陥があったり、光ディスク上にごみがあって、光ディスクからの反射光の強度が下がった場合には、信頼性のある書き込みクロックを生成できなくなってしまう。したがって、そのような状況で記録をし続けることは好ましくなく、そのような状況になったときに、一旦、記録を中断する方法が提案されている（例えば、特許文献１参照）。
【０００５】
この文献によれば、ＤＶＤ−ＲＡＭの場合に、１トラック当り最内周で１７箇所、最外周で４１箇所形成されている物理ＩＤ部（物理的なアドレス位置）の検出タイミングに基づく第１の周期と、ウォブルＰＬＬクロックに基づく第２の周期とを検出し、双方の周期に基づいてウォブルＰＬＬクロックの状態を判定し、記録を続けることが不適当と判断した場合には記録を中断する。また、ウォブリング信号の欠落を検出した場合にも、記録を中断する。
【特許文献１】特開２０００−８２２１２号公報  （第６−９頁、図３−５）
【発明の開示】
【発明が解決しようとする課題】
【０００６】
上述の従来技術では、記録中におけるクロックの同期ずれ、あるいは、ウォブリング信号の欠落の検出を行っている。しかしながら、実際の記録においては、記録中のみならず、記録開始時点でクロックの同期ずれ等が発生していることもある。これでは最初から光ディスクにクロックのずれた状態で記録を行ってしまうことになる。また、記録中の同期ずれが拡大してしまう可能性も考えられる。
【０００７】
本発明は、上記課題に鑑みてなされたものであって、その目的は、光ディスクから検出されるアドレス信号とウォブルクロックとの同期状態を監視して同期ずれを検出し、または、復調されたアドレス情報の異常状態により同期ずれまたはディスク欠陥を検出し、予め定められた範囲を超える同期ずれ、または、復調されたアドレス情報の異常状態が、予め定められた閾値以上の回数発生した場合には記録を開始せず、再度記録動作をし直すことで、安定した記録ができる光ディスク記録装置を提供することにある。
【課題を解決するための手段】
【０００８】
上記目的を達成するため、本発明によれば、ウォブリングしたデータ記録用トラックが形成され、アドレス情報を具現するアドレス情報源がプリフォーマットされている光ディスクに光ビームを照射して、前記アドレス情報源からアドレス信号を得る手段と、前記ウォブリングしたデータ記録用トラックから得られる信号を用いてクロック信号を生成する手段と、を有する光ディスク記録装置であって、前記アドレス信号と前記クロック信号との同期ずれを検出するための同期ずれ検出用信号を生成する手段をさらに有し、該同期ずれ検出用信号を用いて、前記光ディスクへの記録開始の適当／不適当を判断することを特徴とする光ディスク記録装置、が提供される。
【０００９】
また、上記目的を達成するため、本発明によれば、ウォブリングしたデータ記録用トラックが形成され、アドレス情報を具現するアドレス情報源がプリフォーマットされている光ディスクに光ビームを照射して、前記アドレス情報源からアドレス信号を得る手段と、前記アドレス信号から前記アドレス情報を復調する手段と、前記ウォブリングしたデータ記録用トラックから得られる信号を用いてクロック信号を生成する手段と、を有する光ディスク記録装置であって、前記アドレス情報を用いて、前記光ディスクへの記録開始の適当／不適当を判断することを特徴とする光ディスク記録装置、が提供される。
そして、好ましくは、前記光ディスク上の任意の目標位置からデータの記録を開始する際に、予め定められたデータ記録開始準備期間に、前記同期ずれ検出用信号と前記クロック信号との同期ずれが予め定められた範囲外となる同期ずれ状態の発生回数、または、前記復調されたアドレス情報の異常状態の発生回数が、予め定められた閾値以上の回数に達したときに、前記記録の開始を一旦取りやめる。
【発明の効果】
【００１０】
本発明に係る光ディスク記録装置は、アドレス信号とクロック信号との同期ずれを検出するための同期ずれ検出用信号を用いて、または、アドレス情報を用いて、光ディスクへの記録開始の適当／不適当を判断するものであるから、記録開始が不適当と判断された場合には、記録の開始を一旦取りやめることによって誤った記録を回避し、また、その後、再度同期の引き込みから行い直し、より確実な状態で記録を開始することによって、正しい記録開始位置から、より安定した記録を行うことを可能にする。
【発明を実施するための最良の形態】
【００１１】
次に、本発明の実施の形態について、図面を参照して説明する。
図１に示すように、本発明に係る光ディスク記録装置においては、モータ２によって回転している光ディスク１から光ヘッド３によって読み取られた信号が、再生回路7に供給される。モータ２の回転は、制御回路４によって制御されている。再生回路７によって再生され、バンドパスフィルタ９を通った信号をアドレス検出回路１０に供給することによってアドレス信号の検出が行われ、また、同期ずれ検出用信号生成回路１１に供給することによって同期ずれ検出用信号が生成される。さらに、クロック生成回路１３とＰＬＬ回路１４によって、ウォブルクロックおよび記録チャネルクロックが生成される。この同期ずれ検出用信号、記録チャネルクロック、および、アドレス信号を用いて、記録開始不適当検出回路１２により同期ずれが検出され、記録開始条件判定回路５により、この同期ずれが予め定められた範囲を超えたか否かの判定が行われる。そして、その予め定められた範囲を超えた場合には、内部同期回路８、ライトゲート生成回路６が、記録開始を一旦取りやめるように光ヘッド３を制御し、そして、再度記録開始動作を設定し直す。
【００１２】
以下、いくつかのＤＶＤ仕様を例として、本発明の光ディスク記録装置を具体的に説明する。
【実施例１】
【００１３】
本実施例においては、ＤＶＤ＋Ｒ、ＤＶＤ＋ＲＷ仕様に対して、本発明の光ディスク記録装置を説明する。
まず、ＤＶＤ＋Ｒ、ＤＶＤ＋ＲＷディスクのウォブル構造に関して述べる。
ＤＶＤ＋Ｒ、ＤＶＤ＋ＲＷ仕様では、９３ウォブル毎に８ウォブルから成るＡＤＩＰ（ADdress In Pre-groove）データユニットが形成されている。残りの８５ウォブルはモノトーンウォブルであり、ＡＤＩＰデータユニットとモノトーンウォブルとの合計９３ウォブルが、１ＡＤＩＰビットとして規定されている。また、５２ＡＤＩＰビットで、１ＡＤＩＰワードを構成する。
【００１４】
図２（ａ）〜（ｃ）に示すように、ＡＤＩＰデータユニットから再生されるＡＤＩＰデータユニット信号には、３つのパターン（ADIP_word_sync、ADIP_ZERO_bit、ADIP_ONE_bit信号）が存在する。ADIP_word_sync信号は、ＡＤＩＰワードへの同期（ＡＤＩＰワードの切れ目）を示す信号である〔（ａ）〕。この場合のＡＤＩＰデータユニットの前半の４ウォブルは、モノトーンウォブルに対して位相が１８０度ずれているウォブル（negative_wobble：逆相ウォブル）、後半の４ウォブルは、位相のずれていないウォブル（positive_wobble：正相ウォブル）である。また、ADIP_ZERO_bit信号は、そのＡＤＩＰビットデータが‘０’であることを示す信号であり〔（ｂ）〕、ADIP_ONE_bit信号は、ＡＤＩＰビットデータが‘１’であることを示す信号である〔（ｃ）〕。どちらの場合も、ＡＤＩＰデータユニットの前半の４ウォブルは、（１逆相＋３正相）ウォブルであるが、後半の４ウォブルは、ADIP_ZERO_bitの場合に（２正相＋２逆相）ウォブルであるのに対して、ADIP_ONE_bitの場合に（２逆相＋２正相）ウォブルである。これらＡＤＩＰデータユニットの３つのパターンのいずれかが、９３ウォブル毎に形成されており（ADIP_word_syncの場合は、９３×５２ウォブル毎に形成されている）、前半の４ウォブルでワードシンクかビットシンクかが判別され、ビットシンクの場合には、後半の４ウォブルでＡＤＩＰビットデータが‘０’か‘１’かが判別される。なお、図２（ａ）〜（ｃ）には、ADIP_word_sync、ADIP_ZERO_bit、ADIP_ONE_bit信号を２値化した信号も示されている。
【００１５】
図３（ａ）〜（ｃ）は、それぞれ、ADIP_word_sync、ADIP_ZERO_bit、ADIP_ONE_bit信号の時間変化を２値信号で示している（逆相ウォブルに対してHigh、正相ウォブルに対してLowとしている）。いずれのパターンにおいても、その最初のウォブルの信号は、Highレベルとなる。図３（ｄ）は、図１の同期ずれ検出用信号生成回路１１で生成される同期ずれ検出用信号である。ADIP_word_sync、ADIP_ZERO_bit、ADIP_ONE_bit信号のいずれに対しても、その始まりから８ウォブルクロック後（ＡＤＩＰデータユニット信号の終了時点）で同期ずれ検出用信号が出力される。
【００１６】
図１において、光ディスク１から再生される信号には、未記録ディスクではＡＤＩＰデータユニット信号とモノトーンウォブルからの信号（以下、「ウォブル信号」という）が含まれており、記録済みディスクでは記録データと、ＡＤＩＰデータユニット信号とウォブル信号が含まれている。そのような信号を、バンドパスフィルタ９に通すことによって、ＡＤＩＰデータユニット信号とウォブル信号とが抽出される。また、ＡＤＩＰデータユニットは、８ウォブルからなり、その最初のウォブルがモノトーンウォブルに対して１８０度位相がずれているから、ＡＤＩＰデータユニット信号をウォブル信号から切り離すことは容易である。そして、ウォブル信号と位相が１８０度ずれているものをnegative_wobble信号（Highレベル）、ずれていないものをpositive_wobble信号（Lowレベル）として２値化して、ＡＤＩＰデータが生成される。さらに、アドレス検出回路１０によってアドレス信号がデコードされる。このアドレス信号によって光ヘッド位置が検出される。また、同期ずれ検出用信号生成回路１１によって、上述のように同期ずれ検出用信号が生成される。しかしながら、この同期ずれ検出用信号は、必ずしも上述のようにして生成されなければならないわけではなく、光ディスクから一定周期を持つ信号として検出できるものなら何でもよい。ウォブル周期の信号であってもよい。
【００１７】
また、クロック信号としては、クロック生成回路１３およびＰＬＬ回路１４において、ＡＤＩＰデータユニット信号とウォブル信号とから、ウォブルクロックおよび記録チャネルクロックが生成される。上述のように、ＤＶＤ＋Ｒ/ＲＷ仕様では、ウォブル１周期に３２チャネルビットの記録を行うので、記録チャネルクロックは、ウォブルクロックから、その１/３２周期を持つクロックとして生成される。
【００１８】
同期ずれ検出用信号は、記録が正常に行われていれば、９３×３２記録チャネルクロックを周期とする。したがって、同期ずれ検出用信号を連続的に検出した際に、同期ずれ検出用信号と記録チャネルクロックとが同期しているかどうかをチェックすることによって、記録が正常に行われているかどうかを判断することが可能である。
【００１９】
次に、記録を開始するための動作を説明する。まず、記録を開始しようとするターゲットアドレスの近傍に光ヘッドをジャンプさせる。そのためには、その位置のディスク同期に引き込みを行ってディスクアドレスを読み、それがターゲットアドレスより大きい時は、ターゲットアドレスより小さくならない程度に光ヘッドを内周にジャンプさせる。ターゲットアドレスより小さい時は、ターゲットアドレスを超さない程度に少し外周にジャンプさせる。これを繰り返して、光ヘッドがターゲットアドレスの近傍に到達する。光ヘッドは、光ディスクのグルーブから引き込んだ同期で、ターゲットアドレスと一定の差を有するディスクアドレスを確認すると、記録開始準備の指示を受け、ディスク溝に沿ってトラックを進みながらターゲットアドレス到達を待ち、到達したら記録を開始する。これらの期間において、図１の光ヘッド３から一定強度の光ビームが光ディスク１に照射されており、光ディスク１から反射されてきた光ビームが光ヘッド３内に備えられている受光素子（図示せず）によって電気信号として検出され、再生回路７によって再生信号として再生されている。
【００２０】
このとき、光ヘッドが記録開始準備の指示を受けた後、ターゲットアドレスに到達するまでの全期間あるいは一部の期間（データ記録開始準備期間）において、同期ずれ検出用信号が、記録チャネルクロックを用いて生成される、ある幅の検出ウィンドウの内部に検出されるか、或いは、外部に検出されるかのチェックを行う。この検出ウィンドウは、例えば、データ記録開始準備期間中の任意の１つのＡＤＩＰデータユニット信号の終了時点から、９３×３２記録チャネルクロック毎に、その記録チャネルクロックの左右に、ある幅を持って形成される。この幅は、同期ずれ検出用信号と記録チャネルクロックとの同期ずれをどの程度許容するか、および／または、ＰＬＬ回路でつくられるウォブルクロックおよび記録チャネルクロックの誤差がどの程度であるか、などを考慮して適切に定められる。この検出ウィンドウは、例えば、９３×３２記録チャネルクロック入力毎に出力するようにしたカウンタ（以下、「９３×３２記録チャネルクロック周期カウンタ」という）を用いてつくることができる。なお、記録チャネルクロックを用いるかわりに、ウォブルクロックを用いることも可能である。
【００２１】
図４、図５は、記録開始が適当か不適当かの判定が、どのような過程でなされるかを図示している。ここで、同期ずれ検出用信号が、検出ウィンドウの外部に４回検出された場合に記録開始が不適当としている。即ち、記録開始不適当判定閾値は４である。図４においては、データ記録開始準備期間中に検出された一連の同期ずれ検出用信号と検出ウィンドウとは同一周期を持っており、したがって、同期ずれ検出用信号のどれも、検出ウィンドウの外部に検出されていない。したがって、検出ウィンドウ外検出回数は０であり、ターゲットアドレスの記録開始位置で記録開始するのが適当と判定される。一方、図５においては、同期ずれ検出用信号と検出ウィンドウとの位相関係が徐々にずれており、検出ウィンドウ外検出回数が４となった時点で、記録開始が不適当で、記録開始を一旦取り止めるべきと判定される。
【００２２】
通常の安定な状態における記録においては、同期ずれ検出用信号は、９３×３２記録チャネルクロックの周期で出現する。しかし、何らかの要因で、この関係が崩れることがある。例えば、ディスク回転速度の異常の発生、および／または、光ディスク上のキズ等により正しいウォブル信号が得られなかった場合には、光ディスクから得られるウォブル信号をＰＬＬ回路に入力して得られるウォブルクロック、記録チャネルクロックは、正規のあるべきウォブルクロック、記録チャネルクロックに対し乱れを生じてしまう。ターゲットアドレス到達前までにこの乱れを回復するように引き込み直せれば正しく記録を開始できるが、乱れた状態のまま、あるいは、乱れが拡大する状態で記録開始位置に到達してしまうと、記録開始位置がずれてしまう。また、乱れたままウォブル信号に引き込んでしまうと、ずれた状態で記録を開始し、以降記録を継続してしまう。
【００２３】
したがって、前述のように、同期ずれ検出用信号と検出ウィンドウとの関係をチェックし、同期ずれ検出用信号が検出ウィンドウ内に検出されなかった、或いは、検出ウィンドウ外に検出された場合には仮同期ずれが発生したとみなす。但し、前述のデータ記録開始準備期間中における再生エラーにより、同期ずれ検出用信号が検出ウィンドウ内に検出されなかったり、或いは、検出ウィンドウ外に検出されることも有り得るので、ターゲットアドレス到達前までに、検出ウィンドウ内に検出されなかった、或いは、検出ウィンドウ外に検出された回数が予め定められた閾値以上に検出された場合に、本当の同期ずれが発生したと認識する。
【００２４】
また、検出ウィンドウの代わりに、上述の９３×３２記録チャネルクロック周期カウンタからの出力をそのまま用いることも可能である。即ち、同期ずれ検出用信号と９３×３２記録チャネルクロック周期カウンタからの出力との位相関係をチェックし、予め定められたデータ記録開始準備期間において、予め定められた同期ずれ検出用信号と９３×３２記録チャネルクロック周期カウンタとの間の予め定められた位相ずれ範囲を超えた回数が、予め定められた閾値回数を超えた場合も同期ずれが発生したとみなせる。ここで、同期ずれ検出用信号と９３×３２記録チャネルクロック周期カウンタからの出力との位相関係とは、例えば、同期ずれ検出用信号と９３×３２記録チャネルクロック周期カウンタからの出力が同時に出現した場合を位相ずれ０度、同期ずれ検出用信号と９３×３２記録チャネルクロック周期カウンタからの出力との出現が１ウォブル分ずれた場合を位相ずれ３６０度等と定めればよい。即ち、同期ずれ検出用信号と、９３×３２記録チャネルクロック周期カウンタからの出力とが出力される時間差で定めればよい。
【００２５】
その他には、アドレス異常を検出することで同期ずれ、ディスク欠陥を検出することもできる。同期ずれが発生した場合や光ディスクに欠陥がある場合には、正常にアドレスが検出できず、アドレス異常を起こすことがあるからである。したがって、あらかじめ定められた一定のアドレス検出回数において、アドレス検出時のパリティチェックエラー回数が、予め定められた閾値以上になる場合や、検出アドレスが期待値と異なった回数が、予め定められた閾値以上となる場合には、記録開始不適当状態であると認識することができる。
【００２６】
さらには、上述した、同期ずれ検出用信号がウィンドウ内に検出されなかった回数、ウィンドウ外に検出された回数、同期ずれ検出用信号と９３×３２記録チャネルクロック周期カウンタからの出力とが本来あるべき位相関係でなくなった回数、アドレスパリティエラー回数、アドレス期待値との不一致回数のうちの２つ以上の合計が、予め設定された閾値を越えるような場合にも記録開始不適当状態とみなすことができる。
【００２７】
上述した記録開始不適当状態が発生した場合、このまま記録を開始してしまうと記録データは本来光ディスクに記録すべき位置よりずれて記録を開始してしまう、或いは、正しい位置から記録できるか不確定な状態での記録になる。よって、このような状態のときは記録を一旦取りやめた方がよい。
【００２８】
次に、本来は記録を行おうとしたのができなかったのであるから、改めて記録し直さなければならない。よって、その際には、光ヘッドを光ディスク内周側あるいは外周側にジャンプさせ、同期の再引き込みを行う。
【００２９】
この際の記録開始条件であるが、前回と同様でも構わない。また、光ディスクに固定的にある問題であれば再度同じ状態に陥ることも考えられるので、前述の記録開始不適当条件を緩め、記録を開始する方向に持っていくこともできる。例えば、上述の検出ウィンドウの幅を広げることができる。当然、記録開始不適当条件をマスクしてしまえば記録は行われる。
【００３０】
また、データ記録開始準備期間において、記録を行うか行わないかを判断する記録開始判断領域を記録開始位置と間隔を置いて設定してもよい。この場合、この記録開始判断領域において記録開始不適当状態と判断できなかった場合には、この領域から記録開始位置までの間において記録不適当状態と判断されても記録を行うものとする。この記録開始判断領域にて記録不適当状態と判断された場合には、再度の記録開始動作にて、この記録開始判断領域を、記録開始位置からさらに間隔を置くように移動させ、その領域では記録不適当状態と判断されなかった場合には、記録を行うと判断することも可能である。
また、上述の記録開始判断領域の移動と、記録開始不適当条件の緩和とを複合的に組み合わせてもよい。このようにすることで、より適切な記録開始を実現することができる。
【実施例２】
【００３１】
本実施例においては、ＤＶＤ−Ｒ、ＤＶＤ−ＲＷ仕様に対して、本発明の光ディスク記録装置を説明する。
ＤＶＤ−Ｒ、ＤＶＤ−ＲＷ仕様に対しても、実施例１におけるＤＶＤ＋Ｒ、ＤＶＤ＋ＲＷ仕様に対するのと同様の考え方ができる。ＤＶＤ−Ｒ、ＤＶＤ−ＲＷ仕様においては、光ディスク上の位置情報（アドレス情報）が、ＬＰＰ（Land Pre Pit：ランドプリピット）に記憶されている。ＬＰＰとは、ウォブリングしているグルーブの間のランドに形成されている孤立ピットである。このグルーブウォブリングとＬＰＰとによって、実施例１においてグルーブウォブリングとＡＤＩＰデータユニットがそうであったように、記録チャネルクロックおよびウォブルクロックの生成、アドレス情報の獲得、および、光デイスク回転制御等を得ることができる。
【００３２】
以下、本実施例において、実施例１と異なる点を、要点的に述べる。
図６は、未記録ディスクから再生された信号の２シンクフレーム（以下、単に「フレーム」という）を、模式的に示している。横軸は時間である。１フレームは、８ウォブル分で構成されている。グルーブから得られるグルーブウォブリング信号は、正弦波状の信号である。一方、ＬＰＰから得られるＬＰＰ信号は、フレーム内のグルーブウォブリング信号の最初の３ピークに位置して、３ビットで１セットを構成している。そして、このＬＰＰ信号は、２フレームのペア毎に、evenフレームかoddフレームかのどちらかに現れる。図６では、ＬＰＰ信号は、evenフレームに現れている。なお、図６で、グルーブは、直線状に描かれているが、実際には、ウォブリングしている。
【００３３】
ＤＶＤ−Ｒ、ＤＶＤ−ＲＷ仕様では、上述のように、８ウォブル分で１フレームを構成しているが、さらに、２６フレームで１セクタを構成している。
【００３４】
図７（ａ）〜（ｄ）に示すように、ＬＰＰ信号には、４つのパターン（SYNC EVEN、SYNC ODD、データ1、データ0信号）が存在する。SYNC EVEN信号は、セクタの先頭のEVENフレームを示す信号であり、３ビット全てが存在する〔（ａ）〕。図６に示されているＬＰＰ信号は、SYNC EVEN信号である。SYNC ODD信号は、セクタの２番目のフレームであるODDフレームを示す信号であり、最初の２ビットが存在するが、最後の１ビットが存在しない。データ1信号、データ0信号は、それぞれ、フレームデータが‘１’、‘０’であることを示す信号であり、ともに２番目のビットが存在しないが、データ0信号では、３番目のビットも存在しない。４つのパターンのいずれにおいても、１番目のビット（シンクビット）は存在する。２番目のビットで、SYNC EVEN信号またはSYNC ODD信号か、データ1信号またはデータ0信号かが判別され、最後の１ビットで、SYNC EVEN信号かSYNC ODD信号、データ1信号かデータ0信号かが判別される。
【００３５】
ＤＶＤ−Ｒ、ＤＶＤ−ＲＷ仕様では、また、１ウォブルに１８６チャネルビットの記録を行うので、記録チャネルクロックはウォブルクロックの１／１８６周期のクロックとなる。
【００３６】
上述のように、１フレームが８ウォブルで構成されており、１セクタが２６フレームで構成されている。ＬＰＰ信号は、２フレームのペア毎に、evenフレームかoddフレームかのどちらかに現れるのであるから、このＬＰＰ信号を用いて同期ずれ検出用信号を形成すれば、その同期ずれ検出用信号は、８ウォブル（ODDフレーム→EVENフレーム）か、１６ウォブル（EVENフレーム→EVENフレーム、或いは、ODDフレーム→ODDフレーム）か、２４ウォブル（EVENフレーム→ODDフレーム）の単位で検出可能である。
【００３７】
図８は、ＬＰＰ信号と、本実施例において用いられる同期ずれ検出用信号の関係を示したものである。ＬＰＰ信号の４つのパターン（SYNC EVEN、SYNC ODD、データ1、データ0信号）とも、１番目のビットが存在するから、そのビットを同期ずれ検出用信号に利用することができる。即ち、SYNC EVEN、SYNC ODD、データ1、データ0信号のいずれかが検出されたときに、例えば、その１番目のビット信号の立ち下がりにおいて同期ずれ検出用信号を出力する。同期ずれ検出用信号の間隔は、記録が正常に行われていれば、上述のように、８×１８６記録チャネルクロックか、１６×１８６記録チャネルクロックか、２４×１８６記録チャネルクロックか、になる。したがって、実施例１と同様に、８×１８６記録チャネルクロック毎に、その記録チャネルクロックの左右に、ある幅を持った検出ウィンドウを形成し、同期ずれ検出用信号が、その検出ウィンドウの外部にあらかじめ定めておいた閾値回数を超えて検出されるかどうかによって、記録開始不適かどうかを判断することが可能である。あるいは、２４×１８６記録チャネルクロック毎に検出ウィンドウを形成すれば、その検出ウィンドウの内部にあらかじめ定めておいた閾値回数を超えて検出されないかどうかによって、記録開始不適かどうかを判断することも可能である。
【００３８】
以上、本実施例が、実施例１と異なる点を要点的に述べた。その他の点に関しては、実施例１の場合のＡＤＩＰデータユニット、ＡＤＩＰビット、ＡＤＩＰワードに、それぞれ、ＬＰＰ、フレーム、セクタを対応させれば、実施例１において述べた観点が、本実施例においても、ほぼ完全に当てはまる。
【図面の簡単な説明】
【００３９】
【図１】本発明に係る光ディスク記録装置のブロック図。
【図２】本発明の実施例１に係るＡＤＩＰデータユニット信号の波形図。
【図３】本発明の実施例１に係るＡＤＩＰデータユニット信号と同期ずれ検出用信号の関係を示す波形図。
【図４】本発明の実施例１に係る、記録開始適当と判断される同期ずれ検出用信号と検出ウィンドウとの関係を示す波形図。
【図５】本発明の実施例１に係る、記録開始不適当と判断される同期ずれ検出用信号と検出ウィンドウとの関係を示す波形図。
【図６】本発明の実施例２に係るＬＰＰ信号とグルーブウォブリング信号の波形図。
【図７】本発明の実施例２に係るＬＰＰ信号の４つのパターンの波形図。
【図８】本発明の実施例２に係るＬＰＰ信号と同期ずれ検出用信号の関係を示す波形図。
【図９】ＤＶＤの種々の仕様のウォブリング信号の波形図。
【符号の説明】
【００４０】
１  光ディスク
２  モータ
３  光ヘッド
４  制御回路
５  記録開始条件判定回路
６  ライトゲート生成回路
７  再生回路
８  内部同期回路
９  バンドパスフィルタ
１０  アドレス検出回路
１１  同期ずれ検出用信号生成回路
１２  記録開始不適当状態検出回路
１３  クロック生成回路
１４  ＰＬＬ回路
【図１】
2005190507.tif 000003
【図２】
2005190507.tif 000004
【図３】
2005190507.tif 000005
【図４】
2005190507.tif 000006
【図５】
2005190507.tif 000007
【図６】
2005190507.tif 000008
【図７】
2005190507.tif 000009
【図８】
2005190507.tif 000010
【図９】
2005190507.tif 000011
【手続補正書】
【提出日】平成16年12月6日(2004.12.6)
【手続補正１】
【補正対象書類名】特許請求の範囲
【補正対象項目名】請求項１
【補正方法】変更
【補正の内容】
【請求項１】
ウォブリングしたデータ記録用トラックが形成され、アドレス情報を具現するアドレス情報源がプリフォーマットされている光ディスクに光ビームを照射して、前記アドレス情報源からアドレス信号を得る手段と、前記ウォブリングしたデータ記録用トラックから得られる信号を用いてクロック信号を生成する手段と、を有する光ディスク記録装置であって、ウォブル信号または前記アドレス信号から一定周期で得られる信号と前記クロック信号との同期ずれを検出するための同期ずれ検出用信号を生成する手段をさらに有し、該同期ずれ検出用信号を用いて、前記光ディスクへの記録開始の適当／不適当を判断することを特徴とする光ディスク記録装置。
【手続補正２】
【補正対象書類名】特許請求の範囲
【補正対象項目名】請求項２
【補正方法】変更
【補正の内容】
【請求項２】
前記光ディスク上の任意の目標位置からデータの記録を開始する際に、予め定められたデータ記録開始準備期間に、前記同期ずれ検出用信号と前記クロック信号との同期ずれが予め定められた範囲外となる同期ずれ状態の発生回数が、予め定められた閾値以上の回数に達したときに、前記目標位置での前記記録の開始を一旦取りやめることを特徴とする請求項１に記載の光ディスク記録装置。
【手続補正３】
【補正対象書類名】明細書
【補正対象項目名】００１６
【補正方法】変更
【補正の内容】
【００１６】
図１において、光ディスク１から再生される信号には、未記録ディスクではＡＤＩＰデータユニット信号とモノトーンウォブルからの信号（以下、「ウォブル信号」という）が含まれており、記録済みディスクでは記録データと、ＡＤＩＰデータユニット信号とウォブル信号が含まれている。そのような信号を、バンドパスフィルタ９に通すことによって、ＡＤＩＰデータユニット信号とウォブル信号とが抽出される。また、ＡＤＩＰデータユニットは、８ウォブルからなり、その最初のウォブルがモノトーンウォブルに対して１８０度位相がずれているから、ＡＤＩＰデータユニット信号をウォブル信号から切り離すことは容易である。そして、ウォブル信号と位相が１８０度ずれているものをnegative_wobble信号（Highレベル）、ずれていないものをpositive_wobble信号（Lowレベル）として２値化して、ＡＤＩＰデータが生成される。さらに、アドレス検出回路１０によってアドレス信号がデコードされる。このアドレス信号によって光ヘッド位置が検出される。また、同期ずれ検出用信号生成回路１１によって、図３を参照して説明したように同期ずれ検出用信号が生成される。しかしながら、この同期ずれ検出用信号は、必ずしも上述のようにして生成されなければならないわけではなく、光ディスクから一定周期を持つ信号として検出できるものなら何でもよい。ウォブル周期の信号であってもよい。
【手続補正４】
【補正対象書類名】明細書
【補正対象項目名】００１８
【補正方法】変更
【補正の内容】
【００１８】
同期ずれ検出用信号は、記録が正常に行われていれば、９３×３２記録チャネルクロック（９３ウォブル）を周期とする。したがって、同期ずれ検出用信号を連続的に検出した際に、同期ずれ検出用信号と記録チャネルクロックとが同期しているかどうかをチェックすることによって、図１の記録開始不適当状態検出回路１２にて、記録が正常に行われているかどうかを判断することが可能である。
【手続補正５】
【補正対象書類名】明細書
【補正対象項目名】００２０
【補正方法】変更
【補正の内容】
【００２０】
このとき、光ヘッドが記録開始準備の指示を受けた後、ターゲットアドレスに到達するまでの全期間あるいは一部の期間（データ記録開始準備期間）において、同期ずれ検出用信号が、記録チャネルクロックを用いて生成される、ある幅の検出ウィンドウの内部に検出されるか、或いは、外部に検出されるかのチェックを行う。この検出ウィンドウは、例えば、データ記録開始準備期間中の任意の１つのＡＤＩＰデータユニット信号の終了時点から、９３×３２記録チャネルクロック毎に、その記録チャネルクロックの左右に、ある幅を持って形成される。この幅は、同期ずれ検出用信号と記録チャネルクロックとの同期ずれをどの程度許容するか、および／または、ＰＬＬ回路でつくられるウォブルクロックおよび記録チャネルクロックの誤差がどの程度であるか、などを考慮して適切に定められる。この検出ウィンドウは、例えば、９３×３２記録チャネルクロック入力毎に出力するようにしたカウンタ（以下、「９３×３２記録チャネルクロック周期カウンタ」という）を用いて、記録開始不適当状態検出回路１２でつくることができる。なお、記録チャネルクロックを用いるかわりに、ウォブルクロックを用いることも可能である。
【手続補正６】
【補正対象書類名】明細書
【補正対象項目名】００２１
【補正方法】変更
【補正の内容】
【００２１】
図４、図５は、記録開始が適当か不適当かの判定が、どのような過程でなされるかを図示している。その判定は同期ずれ検出用信号が検出ウィンドウの内か外のどちらに検出されるかを同期ずれの判断材料とし、検出ウィンドウ外で検出される毎にカウントを行い、その回数がある閾値に達した場合に記録開始が不適当と判定している。ここでは、同期ずれ検出用信号が、検出ウィンドウの外部に４回検出された場合に記録開始が不適当としている。即ち、記録開始不適当判定閾値は４である。図４においては、データ記録開始準備期間中に検出された一連の同期ずれ検出用信号と検出ウィンドウとは同一周期を持っており、したがって、同期ずれ検出用信号のどれも、検出ウィンドウの外部に検出されていない。したがって、検出ウィンドウ外検出回数は０であり、ターゲットアドレスの記録開始位置で記録開始するのが適当と判定される。一方、図５においては、同期ずれ検出用信号と検出ウィンドウとの位相関係が徐々にずれており、検出ウィンドウ外検出回数が４となった時点で、記録開始が不適当で、記録開始を一旦取り止めるべきと判定される。
【手続補正７】
【補正対象書類名】明細書
【補正対象項目名】００３８
【補正方法】変更
【補正の内容】
【００３８】
以上、本実施例が、実施例１と異なる点を要点的に述べた。その他の点に関しては、実施例１の場合のＡＤＩＰデータユニット、ＡＤＩＰビット、ＡＤＩＰワードに、それぞれ、ＬＰＰ、フレーム、セクタを対応させれば、実施例１において述べた観点が、本実施例においても、ほぼ完全に当てはまる。
特許文献１では物理ＩＤ毎、つまりセクタ毎に検出タイミングを得ているが、本発明ではフレームなど細かな単位で同期ずれ検出用信号を得ることができ、早く且つ精度良く記録開始不適当状態を検出することができる。
【手続補正８】
【補正対象書類名】図面
【補正対象項目名】図２
【補正方法】変更
【補正の内容】
【図２】
2005190507.tif 000012